(57)【要約】【課題】モジュールとの接続部で生じ得る隙間の発生を防止し、特性のバラツキを低減することができる電磁弁を提供する。【解決手段】固定ブラケット１４からカバー１２の上方段差部１０３までの高さ寸法を測定し、この高さ寸法に基づいてガイド５２へのコア５１及びヨーク５３の圧入量を調整する。モジュール３１のコア５１の下方段差部１５からヨーク５３の支持面１１１までの離間距離が前記高さ寸法より大きくなるようにモジュール３１の高さを設定する。カバープレート１０２をモジュール３１の支持面１１１に支持し、カバープレート１０２の外周部をカバー１２の上方段差部１０３に載置して固定する。カバープレート１０２は、その内周部が撓んだ状態でモジュール３１の支持面１１１を下方へ付勢し、モジュール３１はカバープレート１０２によって固定される。【選択図】図１
2007177882.tif 000002
【特許請求の範囲】
【請求項１】
カバー内に収容されたモジュールの上端がカバープレートで支持されるとともに、該カバープレートの周縁部が、前記カバーの内側面に形成された段差部に載置された状態で当該カバーの上縁が構成するカシメ部によって固定され、前記モジュールが前記カバープレートを介して前記カバーに磁気的に接続され磁気回路が形成される電磁弁において、
前記モジュールを前記カバー内に収容した状態で前記カバープレートで支持される前記モジュール上端の支持面の高さ位置が、前記カバーに形成された前記段差部の高さ位置より高くなるように設定したことを特徴とする電磁弁。
【請求項２】
筒状のガイドの一端にコアを圧入するとともに前記ガイドの他端にヨークを圧入して前記モジュールを構成する一方、
予め測定された前記段差部の高さに基づいて、前記ガイドへの前記コア及び前記ヨークの圧入量を調整して前記モジュールの高さを設定したことを特徴とする請求項１記載の電磁弁。
【発明の詳細な説明】
【技術分野】
【０００１】
本発明は、例えば油圧を制御する電磁弁に関する。
【背景技術】
【０００２】
従来、自動車の自動変速機を構成する油圧経路には、図３に示すように、電磁弁８０１が使用されている。
【０００３】
この電磁弁８０１の電磁弁本体８１１を構成するカバー８１２内には、ソレノイド８１３が収容されており、該ソレノイド８１３は、樹脂製のボビン８１４と該ボビン８１４に巻回されたコイル８１５とによって構成されている。前記ボビン８１４内には、磁気回路を構成するモジュール８１６が収容されており、該モジュール８１６の内側には、当該モジュール８１６によって形成される磁気回路によって作動する図外のプランジャが収容されている。
【０００４】
前記モジュール８１６は、その下端部が前記カバー８１２に固定されたブラケット８２１に支持された状態で位置決めされており、前記モジュール８１６の上端は、カバープレート８２２によって上方から支持されている。該カバープレート８２２の周縁部は、前記カバー８１２の上縁部に設けられた段差部８２３に載置された状態で支持されており、当該カバー８１２の上縁が内側にカシメられてなるカシメ部８２４によって固定されている。
【発明の開示】
【発明が解決しようとする課題】
【０００５】
しかしながら、このような電磁弁８０１にあっては、前記カバー８１２と前記モジュール８１６とが異なる部材で形成されている場合、温度変化が発生すると材料の線膨張係数差によって前記モジュール８１６とカバープレート８２２との間に隙間８３１が生じてしまう。
【０００６】
すると、前記モジュール８１６と前記カバー８１２とを接続する磁気経路が途切れてしまい、磁気効率が大幅に低下する。これにより、油圧特性が大きくばらつくという問題があった。
【０００７】
本発明は、このような従来の課題に鑑みてなされたものであり、モジュールとの接続部で生じ得る隙間の発生を防止し、特性のバラツキを低減することができる電磁弁を提供することを目的とするものである。
【課題を解決するための手段】
【０００８】
前記課題を解決するために本発明の請求項１の電磁弁にあっては、カバー内に収容されたモジュールの上端がカバープレートで支持されるとともに、該カバープレートの周縁部が、前記カバーの内側面に形成された段差部に載置された状態で当該カバーの上縁が構成するカシメ部によって固定され、前記モジュールが前記カバープレートを介して前記カバーに磁気的に接続され磁気回路が形成される電磁弁において、前記モジュールを前記カバー内に収容した状態で前記カバープレートで支持される前記モジュール上端の支持面の高さ位置が、前記カバーに形成された前記段差部の高さ位置より高くなるように設定した。
【０００９】
すなわち、カバー内に収容されたモジュールは、カバープレートで支持される支持面の高さ位置が、前記カバープレートの周縁部を支持する段差部の高さ位置より高くなるように設定されている。これにより、前記カバープレートの周縁部を、前記カバーの内側面に形成された段差部に載置して固定した状態で、前記モジュールは、その上端が前記カバープレートによって下方へ向けて付勢される。
【００１０】
この状態において、温度変化が発生すると、前記カバーと前記モジュールの線膨張係数差によって、前記カバーに形成された前記段差部の高さ位置と、前記カバー内に収容された前記モジュール上端の支持面の高さ位置とにズレが生ずる。
【００１１】
このとき、前記カバー内に収容されたモジュールは、カバープレートで支持される当該モジュール上端の支持面の高さ位置が、前記カバープレートの周縁部を支持する段差部の高さ位置より高くなるように設定されている。このため、前記カバーと前記モジュールの線膨張係数差によって、前記カバーの前記段差部の高さ位置と前記モジュールの前記支持面の高さ位置とにズレが生じた場合であっても、このズレが吸収される。
【００１２】
また、請求項２の電磁弁においては、筒状のガイドの一端にコアを圧入するとともに前記ガイドの他端にヨークを圧入して前記モジュールを構成する一方、予め測定された前記段差部の高さに基づいて、前記ガイドへの前記コア及び前記ヨークの圧入量を調整して前記モジュールの高さを設定した。
【００１３】
すなわち、前記モジュールは、筒状のガイドと、該ガイドの一端に圧入されたコアと、前記ガイドの他端に圧入されたヨークとによって構成されており、前記ガイドへの前記コア及び前記ヨークの圧入量を、予め測定された前記段差部の高さに基づいて調整することで、前記モジュールの高さが設定される。
【００１４】
これにより、前記モジュールは、前記カバーに収容された状態で前記カバープレートで支持される前記支持面の高さ位置が、前記カバープレートの周縁部を支持する段差部の高さ位置より高くなるように設定される。
【発明の効果】
【００１５】
以上説明したように本発明の請求項１の電磁弁においては、モジュールをカバー内に収容した状態で、カバープレートで支持される当該モジュール上端の支持面の高さ位置が、前記カバープレートの周縁部を支持する段差部の高さ位置より高くなるように設定されている。
【００１６】
このため、前記カバーと前記モジュールの線膨張係数差によって、温度変化時に前記カバーの前記段差部の高さ位置と前記モジュールの支持面の高さ位置とにズレが生じた場合であっても、このズレを吸収して前記モジュールの前記支持面と前記カバープレートとの間に生じ得る隙間の発生を防止することができる。
【００１７】
これにより、前記カバープレートと前記モジュールとの接触状態を維持することができ、前記カバープレートを介して前記モジュールと前記カバーとが磁気的に接続された状態を維持することができる。
【００１８】
したがって、温度変化時の線膨張係数差によって前記カバーの前記段差部の高さ位置と前記モジュールの前記支持面の高さ位置とにズレが生じ、磁気経路が途切れることによって磁気効率が大幅に低下する従来と比較して、油圧特性の大きなバラツキを低減することができる。
【００１９】
また、請求項２の電磁弁においては、前記モジュールを、筒状のガイドと、該ガイドの一端に圧入されたコアと、前記ガイドの他端に圧入されたヨークとによって構成し、前記ガイドへの前記コア及び前記ヨークの圧入量を、予め測定された前記段差部の高さに基づいて調整することで、前記モジュールの前記支持面の高さ位置が、前記カバープレートの周縁部を支持する段差部の高さ位置より高くなるように、前記モジュールの高さを設定することができる。
【００２０】
そして、このような調整作業を、組み立てられる電磁弁毎に行うことができる。
【発明を実施するための最良の形態】
【００２１】
以下、本発明の一実施の形態を図面に従って説明する。図１は、本実施の形態にかかる電磁弁１を示す図であり、該電磁弁１は、例えばオートマチックトランスミッションの油圧回路で油圧を制御するものである。
【００２２】
この電磁弁１を構成する電磁弁本体１１は、円筒状のカバー１２を備えており、該カバー１２の内側には、樹脂成型品１３が収容されている。該樹脂成型品１３には、固定ブラケット１４がインサート成型されており、該固定ブラケット１４の周縁部には、前記カバー１２の下部内側面に形成された下方段差部１５が載置されている。この状態で、前記カバー１２の下縁部は、内側へ向けてカシメられており、この下縁カシメ部１６と前記下方段差部１５とによって前記固定ブラケット１４の周縁が挟持された状態で、当該固定ブラケット１４が前記カバー１２に固定されている。
【００２３】
前記樹脂成型品１３には、前記固定ブラケット１４より下部側に、前記カバー１２より延出するノズル部２１が形成されており、前記固定ブラケット１４より上部側に、前記カバー１２内に収容されるボビン２２が形成されている。該ボビン２２には、コイル２３が巻回されており、ソレノイド２４が形成されている。
【００２４】
前記ボビン２２内には、磁気回路を構成するモジュール３１が収容されており、該モジュール３１内には、当該モジュール３１が構成する磁気回路によって作動するプランジャ３２が移動自在に収容されている。該プランジャ３２には、作動軸３３が固定されており、該作動軸３３の下端面は、前記ノズル部２１にインサート成型されたシート３４の通流穴３５を開閉する弁部３６を構成している。
【００２５】
これにより、該弁部３６で前記通流穴３５を閉鎖した際には、前記ノズル部２１の下端に開口した入力ポート４１からの油圧を当該ノズル部２１の側部に開口した出力ポート４２から出力できるように構成されており、前記弁部３６が前記通流穴３５を開放した際には、前記出力ポート４２及び前記入力ポート４１の油圧を、前記シート３４上部に設けられた弁室３７を介して、前記ノズル部２１に設けられたドレンポート３８から排出できるように構成されている。
【００２６】
前記モジュール３１は、下部を構成する円筒形状のコア５１と、該コア５１上部に外嵌した円筒状のガイド５２と、該ガイド５２の上端部に内嵌するヨーク５３とによって構成されている。前記コア５１の下部には、小径の小径部５４が形成されており、該小径部５４は、前記固定ブラケット１４に設けられた円形穴５５に挿入されるように構成されている。これにより、前記コア５１の前記小径部５４が前記円形穴５５に挿入された状態で、当該小径部５４によって形成された前記コア５１の段差面５６が前記固定ブラケット１４の上面に面接するように構成されており、この状態において当該モジュール３１は、前記カバー１２に対する固定位置が定められている。
【００２７】
前記コア５１には、上下に貫通する貫通穴６１が設けられており、該貫通穴６１には、軸受け６２，６２を介して前記プランジャ３２から延出した前記作動軸３３が摺動自在に挿通している。このコア５１の上端面には、凹部６４が形成されており、該凹部６４の底面は、前記プランジャ３２を吸引する吸引面６５を構成している。これにより、前記入力ポート４１から油圧を受けて上動した前記プランジャ３２は、ソレノイド２４通電時に、該ソレノイド２４で励磁される前記コア５１の吸引面６５に吸引されて下動するように構成されている。
【００２８】
前記コア５１の上部周面には、小径のコア側内嵌部７１が形成されており、該コア側内嵌部７１が前記ガイド５２に圧入されるように構成されている。該ガイド５２と前記コア側内嵌部７１とからなる圧入部分は、所定の剛性となるように設定されており、前記ガイド５２を前記コア側内嵌部７１に所定量内嵌した状態で、前記ガイド５２のさらなる圧入が進まないように構成されている。
【００２９】
また、前記ヨーク５３には、下方開口状の有底穴８１が設けられており、該有底穴８１の下側は、前記プランジャ３２が収容された大径のプランジャ収容部８２を構成している。前記有底穴８１の上部は、前記プランジャ収容部８２より小径の作動軸挿入部８３を構成しており、該作動軸挿入部８３には、軸受け８４を介して前記作動軸３３が摺動自在に支持されている。
【００３０】
前記ヨーク５３の下部周面には、小径のヨーク側内嵌部９１が形成されており、該ヨーク側内嵌部９１は、前記ガイド５２に圧入されるように構成されている。該ガイド５２と前記ヨーク側内嵌部９１とからなる圧入部分は、所定の剛性となるように設定されており、前記ガイド５２を前記ヨーク側内嵌部９１に所定量内嵌した状態で、前記ガイド５２のさらなる圧入が進まないように構成されている。
【００３１】
また、前記ガイド５２の下端に前記コア５１のコア側内嵌部７１を内嵌するとともに、前記ガイド５２の上端に前記ヨーク５３の前記ヨーク側内嵌部９１を内嵌した状態で、前記コア側内嵌部７１の上端と前記ヨーク側内嵌部９１の下端とが当接しないように各内嵌部７１，９１の長さ寸法が設定されており、前記コア５１及び前記ヨーク５３の前記ガイド５２への圧入代を調整できるように構成されている。
【００３２】
このモジュール３１は、前記樹脂成型品１３に内嵌されるとともに前記固定ブラケット１４に位置決めされた状態で、前記ヨーク５３の上端部が前記樹脂成型品１３の上端面より突出するように構成されており、前記ヨーク５３の上端面は、円形穴１０１を備えたカバープレート１０２によって上方から支持されている。また、このカバープレート１０２の周縁部は、前記カバー１２の上部内側面に形成された上方段差部１０３に載置されており、当該カバー１２の上縁が内側にカシメられてなる上方カシメ部１０４と前記上方段差部１０３とに挟持された状態で固定されている。
【００３３】
これにより、前記モジュール３１の前記ヨーク５３は、前記カバープレート１０２を介して前記カバー１２に磁気的に接続されており、前記ソレノイド２４からの磁力が通過する磁気回路が、前記ヨーク５３と前記カバープレート１０２と前記カバー１２と前記固定ブラケット１４と前記コア５１とによって構成されている。
【００３４】
前記樹脂成型品１３に前記モジュール３１を収容する際には、前記カバー１２に前記樹脂成型品１２を固定した状態で、前記固定ブラケット１４から前記上方段差部１０３までの高さ寸法を測定し、この高さ寸法に基づいて前記ガイド５２への前記コア５１及び前記ヨーク５３の圧入量を調整する。これにより、前記モジュール３１の前記コア５１に形成された前記下方段差部１５から前記ヨーク５３の外周部に設定された前記カバープレート１０２の支持面１１１までの離間距離が、前記高さ寸法より大きくなるように当該モジュール３１の高さを設定する。
【００３５】
そして、このモジュール３１を前記樹脂成型品１３に内嵌するとともに、前記カバー１２の前記上方段差部１０３に当接する外当接面と、前記モジュール３１の上端に当接する内当接面とが形成された治具を用いて、前記モジュール３１を上方から押圧する。このとき、前記治具の前記内当接面は、前記外当接面より深めに設定されているものとする。
【００３６】
すると、前記カバー１２の前記上方段差部１０３の高さ位置と前記モジュール３１の前記支持面１１１の高さ位置には、前記治具の前記内当接面と前記外当接面との段差分のモジュール段差高さ１２１が確保された状態で、前記コア５１及び前記ヨーク５３が前記ガイド５２に圧入される。
【００３７】
この状態において、前記カバープレート１０２の内周部を前記モジュール３１上端の前記支持面１１１に支持するとともに、当該カバープレート１０２の外周部を前記カバー１２の前記上方段差部１０３に載置した状態で、前記カバー１２の上縁を内側にカシメて前記カバープレート１０２を前記カバー１２に固定する。すると、図２にも示すように、前記カバープレート１０２は、その内周部が撓んだ状態で前記モジュール３１の前記支持面１１１を下方へ付勢し、当該モジュール３１は前記カバープレート１０２によって固定される。
【００３８】
以上の構成にかかる本実施の形態にあっては、電磁弁本体１１のカバー１２内に収容されたモジュール３１は、カバープレート１０２で支持される支持面１１１の高さ位置が、前記カバープレート１０２の周縁部を支持する上方段差部１０３の高さ位置より高くなるように設定されている。このため、前記カバープレート１０２の周縁部を前記上方段差部１０３に載置して固定した際には、当該カバープレート１０２は、その内周部が上方に撓んだ状態で前記モジュール３１の前記支持面１１１を下方へ付勢した状態で当該モジュール３１を固定する。
【００３９】
この状態において、温度変化が発生すると、前記カバー１２と前記モジュール３１の線膨張係数差によって、前記カバー１２に形成された前記上方段差部１０３の高さ位置と、前記カバー１２内に収容された前記モジュール３１上端の支持面１１１の高さ位置とにズレが生ずる。
【００４０】
このとき、前記カバー１２内に収容されたモジュール３１は、カバープレート１０２で支持される当該モジュール３１上端の支持面１１１の高さ位置が、前記カバープレート１０２の周縁部を支持する上方段差部１０３の高さ位置より高くなるように設定されている。
【００４１】
このため、前記カバー１２と前記モジュール３１の線膨張係数差によって、前記カバー１２の前記上方段差部１０３の高さ位置と前記モジュール３１の前記支持面１１１の高さ位置とにズレが生じた場合であっても、このズレが吸収することができ、前記モジュール３１の前記支持面１１１と前記カバープレート１０２との間に生じ得る隙間の発生を防止することができる。
【００４２】
これにより、前記カバープレート１０２と前記モジュール３１との接触状態を維持することができるため、前記カバープレート１０２を介して前記モジュール３１と前記カバー１２とが磁気的に接続された状態を維持することができる。
【００４３】
したがって、温度変化時の線膨張係数差によって前記カバー１２の前記上方段差部１０３の高さ位置と前記モジュール３１の前記支持面１１１の高さ位置とにズレが生じ、磁気経路が途切れることによって磁気効率が大幅に低下する従来と比較して、油圧特性の大きなバラツキを低減することができる。
【００４４】
また、前記モジュール３１を、筒状のガイド５２と、該ガイド５２の一端に圧入されたコア５１と、前記ガイド５２の他端に圧入されたヨーク５３とによって構成し、前記ガイド５２への前記コア５１及び前記ヨーク５３の圧入量を、予め測定された前記上方段差部１０３の高さに基づいて調整することで、前記モジュール３１の前記支持面１１１の高さ位置が、前記カバープレート１０２の周縁部を支持する前記上方段差部１０３の高さ位置より高くなるように、前記モジュール３１の高さを設定することができる。
【００４５】
そして、このような調整作業を、組み立てられる電磁弁１毎に行うことができる。
【図面の簡単な説明】
【００４６】
【図１】本発明の一実施の形態を示す断面図ある。
【図２】同実施の形態の模式図である。
【図３】従来の電磁弁を示す模式図である。
【符号の説明】
【００４７】
１    電磁弁
１２    カバー
３１    モジュール
５１    コア
５２    ガイド
５３    ヨーク
１０２    カバープレート
１０３    上方段差部
１０４    カシメ部
１１１    支持面
【図１】
2007177882.tif 000003
【図２】
2007177882.tif 000004
【図３】
2007177882.tif 000005